(57)【要約】  【課題】  メモリカードの装着の有無を容易に確認できる撮像装置を提供する。  【解決手段】  メモリカード装着部と前記メモリカード装着部を開閉する保護扉とを備え、メモリカード４の着脱が可能であり、異なる領域３ｃ、３ｄに外観の差異を設け、配置位置が変化可能な表示部材３と、保護扉１又は撮像装置の本体１１に設けられ、表示部材３を視認できる窓２とを備え、メモリカード４の装着の有無に応じて、表示部材３の位置を変化させて、窓２に対応した表示部材３の外観の差異により、メモリカード４の装着の有無を判別可能にしたことを特徴とする。【選択図】  図２
2006033283.tif 000002
【特許請求の範囲】
【請求項１】
メモリカード装着部と前記メモリカード装着部を開閉する保護扉とを備え、前記メモリカードの着脱が可能な撮像装置であって、
異なる領域に外観の差異を設け、配置位置が変化可能な表示部材と、
前記保護扉又は前記撮像装置の本体に設けられ、前記表示部材を視認できる窓とを備え、
前記メモリカードの装着の有無に応じて、前記表示部材の位置を変化させて、前記窓に対応した前記表示部材の前記外観の差異により、前記メモリカードの装着の有無を判別可能にしたことを特徴とする撮像装置。
【請求項２】
前記保護扉の開閉動作には、前記保護扉を直線的に移動させるスライド動作を含んでおり、
前記保護扉を開く際のスライド動作において、前記表示部材が前記撮像装置の本体に設けられた突出部に接触し、前記表示部材の移動が拘束され、この拘束状態において、前記保護扉を前記表示部材と別個に移動させて前記スライド動作を完了させ、前記表示部材を前記保護扉に保持して第１の保持状態とし、
前記保護扉を閉じる際のスライド動作において、前記表示部材が前記メモリカードに接触して前記表示部材の移動が拘束され、この拘束状態において、前記保護扉を前記表示部材と別個に移動させて前記スライド動作を完了させ、前記表示部材を前記保護扉に保持して第２の保持状態とし、
前記窓から視認できる前記表示部材の部分を、前記第１の保持状態にあるときと、前記第２の保持状態にあるときとで、前記異なる領域の部分に対応させ、前記メモリカードの装着の有無を判別可能にした請求項１に記載の撮像装置。
【請求項３】
前記表示部材と前記前記保護扉とが、ばねを介して接続されており、
前記保護扉を閉じる際の前記拘束状態における前記保護扉の移動の際に、前記保護扉の移動に伴って前記ばねが伸び又は縮み、
前記保護扉を開く際の前記拘束状態における前記保護扉の移動の際に、前記保護扉が前記表示部材に近づくように、前記ばねの復元力が作用する請求項２に記載の撮像装置。
【請求項４】
前記保護扉の開閉動作には、前記保護扉を直線的に移動させるスライド動作を含んでおり、
接触部材と、前記接触部材を前記本体の内側に向かう方向と外側に向かう方向とに往復移動させる往復移動手段とをさらに備えており、
前記往復移動手段は、前記メモリカードの装着に連動して、前記接触部材を前記本体の外側に移動させ、前記メモリカードの取り出しに連動して、前記接触部材を前記本体の内側に移動させるものであり、
前記保護扉を開く際のスライド動作において、前記表示部材が前記撮像装置の本体に設けられた突出部に接触し、前記表示部材の移動が拘束され、この拘束状態において、前記保護扉を前記表示部材と別個に移動させて前記スライド動作を完了させ、前記表示部材を前記保護扉に保持して第１の保持状態とし、
前記保護扉を閉じる際のスライド動作において、前記表示部材が前記接触部材に接触して前記表示部材の移動が拘束され、この拘束状態において、前記保護扉を前記表示部材と別個に移動させて前記スライド動作を完了させ、前記表示部材を前記保護扉に保持して第２の保持状態とし、
前記窓から視認できる前記表示部材の部分を、前記第１の保持状態にあるときと、前記第２の保持状態にあるときとで、前記異なる領域の部分に対応させ、前記メモリカードの装着の有無を判別可能にした請求項１に記載の撮像装置。
【請求項５】
前記表示部材に係合した連結部材と、前記連結部材を前記本体の内側に向かう方向と外側に向かう方向とに往復移動させる往復移動手段とをさらに備えており、
前記往復移動手段は、前記メモリカードの装着に連動して、前記連結部材を前記本体の外側に移動させ、前記メモリカードの取り出しに連動して、前記連結部材を前記本体の内側に移動させるものであり、
前記表示部材は、前記連結部材の前記本体の内側の移動に連動して第１の回転をし、前記連結部材の前記本体の外側に移動に連動して前記第１の回転とは逆方向の第２の回転をし、
前記窓から視認できる前記表示部材の部分を、前記第１の回転の完了状態と、前記第２の回転の回転完了状態とで、前記異なる領域の部分に対応させ、前記メモリカードの装着の有無を判別可能にした請求項１に記載の撮像装置。
【請求項６】
前記表示部材を前記本体の内側に向かう方向と外側に向かう方向とに往復移動させる往復移動手段とをさらに備えており、
前記往復移動手段は、前記メモリカードの装着に連動して、前記連結部材を前記本体の外側に移動させ、前記メモリカードの取り出しに連動して、前記連結部材を前記本体の内側に移動させるものであり、
前記窓から視認できる前記表示部材の部分を、前記表示部材の前記本体の外側への移動が完了したときと、前記本体の内側への移動が完了したときとで、前記異なる領域の部分に対応させ、前記メモリカードの装着の有無を判別可能にした請求項１に記載の撮像装置。
【発明の詳細な説明】
【技術分野】
【０００１】
本発明は、撮像素子により光電変換された映像信号を画像データとして着脱可能な記録媒体に記録することが可能な撮像装置に関する。
【背景技術】
【０００２】
従来、写真撮影には撮影画像を銀塩フィルムに記録する銀塩カメラが使用されていた。近年は、この銀塩カメラに置き換わって、デジタルカメラの台頭が顕著になっている。デジタルカメラは、撮影画像を電子的なデータとしてメモリに記録するものであり、メモリの形態として、例えばカメラに内蔵されているタイプのものもある。最近ではカメラ本体から着脱可能な可般型の外部メモリ（以下、メモリカードという。）が主流になっている（例えば特許文献１参照）。
【０００３】
また、メモリカードにも様々な種類があり、異なる複数種類のメモリカードを使用可能なカメラも現れてきている。メモリカードを使用するカメラでは、カメラで撮影した画像データが外部メモリに記録されることになり、カメラにメモリカードを装着していない場合は撮影できないことになる。
【０００４】
また、内蔵メモリに記録される場合もあるが、通常、内蔵メモリは容量が小さく、画像データの記録枚数は少なくなる。このため、デジタルカメラにおいては、画像データはメモリカードに記録することが一般的になっている。
【特許文献１】特開２０００−１１５６６９公報
【発明の開示】
【発明が解決しようとする課題】
【０００５】
しかしながら、前記のようなメモリカードを用いる撮像装置においては、着脱可能なメモリカードのカメラ本体への装着の有無の確認は、例えばカメラの電源を入れたり、メモリカードの収納部のメモリカード保護扉を開けたりする必要があった。このため、メモリカードの装着忘れの可能性が高いという問題があった。
【０００６】
本発明は、前記のような従来の問題を解決するものであり、メモリカードの装着の有無を容易に確認できる撮像装置を提供することを目的とする。
【課題を解決するための手段】
【０００７】
前記目的を達成するために、本発明の撮像装置は、メモリカード装着部と前記メモリカード装着部を開閉する保護扉とを備え、前記メモリカードの着脱が可能な撮像装置であって、異なる領域に外観の差異を設け、配置位置が変化可能な表示部材と、前記保護扉又は前記撮像装置の本体に設けられ、前記表示部材を視認できる窓とを備え、前記メモリカードの装着の有無に応じて、前記表示部材の位置を変化させて、前記窓に対応した前記表示部材の前記外観の差異により、前記メモリカードの装着の有無を判別可能にしたことを特徴とする。
【発明の効果】
【０００８】
本発明によれば、メモリカードの装着の有無の確認が容易になり、メモリカードの装着忘れの可能性が低くなる。
【発明を実施するための最良の形態】
【０００９】
本発明によれば、メモリカードの装着の有無の確認のために、例えばカメラの電源を入れたり、メモリカードの収納部のメモリカード保護扉を開けたりする必要がない。すなわち、メモリカードの装着の有無の確認が容易になり、メモリカードの装着忘れの可能性が低くなる。
【００１０】
前記本発明の撮像装置においては、前記保護扉の開閉動作には、前記保護扉を直線的に移動させるスライド動作を含んでおり、前記保護扉を開く際のスライド動作において、前記表示部材が前記撮像装置の本体に設けられた突出部に接触し、前記表示部材の移動が拘束され、この拘束状態において、前記保護扉を前記表示部材と別個に移動させて前記スライド動作を完了させ、前記表示部材を前記保護扉に保持して第１の保持状態とし、前記保護扉を閉じる際のスライド動作において、前記表示部材が前記メモリカードに接触して前記表示部材の移動が拘束され、この拘束状態において、前記保護扉を前記表示部材と別個に移動させて前記スライド動作を完了させ、前記表示部材を前記保護扉に保持して第２の保持状態とし、前記窓から視認できる前記表示部材の部分を、前記第１の保持状態にあるときと、前記第２の保持状態にあるときとで、前記異なる領域の部分に対応させ、前記メモリカードの装着の有無を判別可能にしたことが好ましい。
【００１１】
また、前記表示部材と前記前記保護扉とが、ばねを介して接続されており、前記保護扉を閉じる際の前記拘束状態における前記保護扉の移動の際に、前記保護扉の移動に伴って前記ばねが伸び又は縮み、前記保護扉を開く際の前記拘束状態における前記保護扉の移動の際に、前記保護扉が前記表示部材に近づくように、前記ばねの復元力が作用することが好ましい。この構成によれば、扉本体の開放時の操作性を向上させることができる。
【００１２】
また。前記保護扉の開閉動作には、前記保護扉を直線的に移動させるスライド動作を含んでおり、接触部材と、前記接触部材を前記本体の内側に向かう方向と外側に向かう方向とに往復移動させる往復移動手段とをさらに備えており、前記往復移動手段は、前記メモリカードの装着に連動して、前記接触部材を前記本体の外側に移動させ、前記メモリカードの取り出しに連動して、前記接触部材を前記本体の内側に移動させるものであり、前記保護扉を開く際のスライド動作において、前記表示部材が前記撮像装置の本体に設けられた突出部に接触し、前記表示部材の移動が拘束され、この拘束状態において、前記保護扉を前記表示部材と別個に移動させて前記スライド動作を完了させ、前記表示部材を前記保護扉に保持して第１の保持状態とし、前記保護扉を閉じる際のスライド動作において、前記表示部材が前記接触部材に接触して前記表示部材の移動が拘束され、この拘束状態において、前記保護扉を前記表示部材と別個に移動させて前記スライド動作を完了させ、前記表示部材を前記保護扉に保持して第２の保持状態とし、前記窓から視認できる前記表示部材の部分を、前記第１の保持状態にあるときと、前記第２の保持状態にあるときとで、前記異なる領域の部分に対応させ、前記メモリカードの装着の有無を判別可能にしたことが好ましい。この構成によれば、扉開閉動作中に、メモリカードに他の部材が接触することはないので、メモリカードの保護に優れている。
【００１３】
また、前記表示部材に係合した連結部材と、前記連結部材を前記本体の内側に向かう方向と外側に向かう方向とに往復移動させる往復移動手段とをさらに備えており、前記往復移動手段は、前記メモリカードの装着に連動して、前記連結部材を前記本体の外側に移動させ、前記メモリカードの取り出しに連動して、前記連結部材を前記本体の内側に移動させるものであり、前記表示部材は、前記連結部材の前記本体の内側の移動に連動して第１の回転をし、前記連結部材の前記本体の外側に移動に連動して前記第１の回転とは逆方向の第２の回転をし、前記窓から視認できる前記表示部材の部分を、前記第１の回転の完了状態と、前記第２の回転の回転完了状態とで、前記異なる領域の部分に対応させ、前記メモリカードの装着の有無を判別可能にしたことが好ましい。この構成によれば、扉開閉動作中に、メモリカードに他の部材が接触することはないので、メモリカードの保護に優れている。
【００１４】
また、前記表示部材を前記本体の内側に向かう方向と外側に向かう方向とに往復移動させる往復移動手段とをさらに備えており、前記往復移動手段は、前記メモリカードの装着に連動して、前記連結部材を前記本体の外側に移動させ、前記メモリカードの取り出しに連動して、前記連結部材を前記本体の内側に移動させるものであり、前記窓から視認できる前記表示部材の部分を、前記表示部材の前記本体の外側への移動が完了したときと、前記本体の内側への移動が完了したときとで、前記異なる領域の部分に対応させ、前記メモリカードの装着の有無を判別可能にしたことが好ましい。この構成によれば、簡単な構造で、メモリカードの装着の有無の判別が可能になり、扉開閉動作中に、メモリカードに他の部材が接触することもないので、メモリカードの保護にも優れている。
【００１５】
以下、本発明の一実施の形態について、図面を参照しながら説明する。
【００１６】
（実施の形態１）
図１は、本発明の実施の形態１に係る撮像装置の外観斜視図を示している。本図は、撮像装置１０を底面１２側から見た斜視図であり、撮像装置１０はデジタルカメラの例で示している。
【００１７】
本体１１の背面１３には表示部１５が設けられており、側面１４には保護扉１が設けられている。詳細は後に説明するが、保護扉１を開いた状態で、メモリカード４の着脱が可能になる。
【００１８】
図２は、本発明の実施の形態１に係る撮像装置の要部断面図。図２（ａ）は保護扉１を上方向（矢印ａ方向）にスライドさせた状態を示している。図２（ｂ）はメモリカード４の装着状態における保護扉１を閉じた状態、図２（ｃ）はメモリカード４の未装着状態における保護扉１を閉じた状態を示している。
【００１９】
保護扉１は挿入口５に挿入されたメモリカード４を保護する保護扉である。保護扉１は扉本体１ａと開閉板１ｂとを備えており、開閉板１ｂは回転軸９を中心として回転可能である。また、扉本体１ａに形成された空間部１ｃに開閉板１ｂが挿入されている。このことにより、扉本体１ａを直線的に移動させることができ、扉本体１ａを持ち上げるように動かせば、図２（ａ）に示したように、保護扉１を上方向（矢印ａ方向）にスライドさせることができる。
【００２０】
さらにこの状態から、扉本体１ａの上面を側面１４から遠ざかる方向（矢印ｂ方向）に倒すと、扉本体１ａは開閉板１ｂと一体になって回転軸９を中心として回転し、保護扉１が開いた状態にすることができる。この状態でメモリカード４の着脱が可能になる。また、前記の保護扉１の開放動作と逆の操作を経ることにより、保護扉１は、図２（ａ）の状態を経て、図２（ｂ）、（ｃ）に示したような閉じた状態にすることができる。
【００２１】
図２（ａ）の状態から図２（ｂ）、（ｃ）の状態までの間においては、本体１１と保護扉１とに設けられたガイド（図示せず）に沿って、扉本体１ａが下方向（矢印ｃ方向）に移動することになる。
【００２２】
扉本体１ａには、表示部材３及びガイド７が取り付けられている。表示部材３は、詳細は後に説明するが、メモリカード４の装着の有無を表示するものである。表示部材３に固定した板バネ８の突起部８ａがガイド７に設けられた溝７ａ又は７ｂに係合することにより、表示部材３はガイド７を介して扉本体１ａに保持されることになる。
【００２３】
また、表示部材３に板バネ８とガイド７との係合を外す程度の外力が加われば、表示部材３は、扉本体１ａとは別個独立に移動することになる。他方、ガイド７は扉本体１ａに一体に固定されており、扉本体１ａのスライドに伴って、ガイド７は扉本体１ａと一体に移動することになる。扉本体１ａには窓２が形成されており、窓２を通して表示部材３を本体１１の外側から視認することができる。
【００２４】
以下、メモリカード４の着脱、メモリカード４の装着有無の確認について具体的に説明する。図２（ａ）の状態は、扉本体１ａを上側にスライドさせた状態であり、表示部材３の突起部３ｂと本体１１の外側に突出した接触部材６とが接触している。この状態では、板バネ８の突起部８ａは、ガイド７の溝７ｂに係合しており、この状態で表示部材３は扉本体１ａに保持されていることになる。
【００２５】
扉本体１ａを矢印ｂ方向に倒せば、保護扉１が開き、メモリカード４を本体１１から取り出すことができる。取り出したメモリカード４を再び挿入口５に挿入し、保護扉１を閉じると、再び図２（ａ）の状態に戻ることになる。この間は、表示部材３には、外力は加わらないので、保護扉１と表示部材３との間の位置関係は保たることになる。図２（ａ）の状態から、保護扉１をそのまま下側に移動させると、保護扉１が完全に閉じることになる。
【００２６】
図２（ｂ）は、保護扉１が完全に閉じた状態を示している。保護扉１を下側に移動させる途中において、表示部材３の突起部３ａはメモリカード４に接触することになる。この場合、表示部材３の移動は拘束され、扉本体１ａをさらに下側に押すと、表示部材３はメモリカード４から外力を受けることになる。
【００２７】
この際、板バネ８の突起部８ａとガイド７の溝７ｂとの係合が外れ、扉本体１ａは表示部材３と別個独立に下側に移動することになる。この下側の移動が進むと、保護扉１は最終的には図２（ｂ）の状態に至ることになる。この保護扉１の移動進行状態においては、保護扉１と一体になってガイド７も下側に移動し、板バネ８の突起部８ａはガイド７の溝７ａに新たに係合することになる。
【００２８】
ここで、表示部材３は、外観上差異のある領域を設けており、本実施の形態では、明るい色の領域３ｃと保護扉１と同様の色（例えばグレー）の領域３ｄとに分かれている。図２（ｂ）の状態すなわちメモリカード４が装着されている状態では、窓２からは保護扉１と同様の色の領域３ｄが見えることになる。この場合は、ユーザに特別注意を喚起することはない。
【００２９】
次にメモリカード４が装着されていない場合について説明する。保護扉１を開く際には、メモリカード４の装着の有無に関係なく、図２（ａ）の状態すなわち表示部材３の突起部３ｂが接触部材６と接触し、板バネ８の突起部８ａがガイド７の溝７ｂに係合する状態を経ることになる。この係合状態は表示部材３に外力が加わらない限り変化しないので、図２（ａ）の状態から保護扉１を開き、メモリカード４を本体１１から取り出した状態で保護扉１を閉じて再び図２（ａ）の状態に戻るまでの間においては、板バネ８とガイド７との間の係合状態は変化せず、本体１１と表示部材３との間の位置関係も変化しない。
【００３０】
次に、保護扉１を完全に閉じる際には、図２（ａ）の状態から扉本体１ａを下側に押し下げることになる。図２（ｃ）は、メモリカード４の未装着状態において、保護扉１を完全に閉じた状態を示している。メモリカード４を装着していないので、表示部材３には外力が加わることがなく、図２（ｃ）の状態に至るまでの間において、板バネ８とガイド７との間の係合状態は依然として同じ状態を維持していることになる。
【００３１】
このことにより、メモリカード４の装着状態に比べ、表示部材３が扉本体１ａと一体になって移動する距離が長くなる。このため、図２（ｂ）の状態に比べ、表示部材３はより下側に移動することになる。この場合、窓２からは表示部材３の明るい色の領域３ｃが見えることになる。この場合は、ユーザに注意を喚起することになり、ユーザはメモリカード４が装着されていないことに気付くことになる。
【００３２】
以上のように本実施の形態によれば、メモリカードの装着の有無の確認のために、例えばカメラの電源を入れたり、メモリカードの収納部のメモリカード保護扉を開けたりする必要がない。すなわち、メモリカードの装着の有無の確認が容易になり、メモリカードの装着忘れの可能性が低くなる。
【００３３】
（実施の形態２）
図３は、実施の形態２に係る撮像装置の要部断面図を示している。図３（ａ）の状態は、扉本体１ａを上側にスライドさせた状態であり、表示部材３３の突起部３３ｂと接触部材６とが接触している。この状態では、板バネ８の突起部８ａは、ガイド７の溝７ｂに係合しており、この状態で表示部材３３は扉本体１ａに保持されていることになる。保護扉１の開放動作、メモリカード４の着脱動作は、実施の形態１と同様であり、保護扉１を完全に開いた後、再び図３（ａ）の状態になるまでの間は、表示部材３３には、外力は加わらないので、保護扉１と表示部材３３との間の位置関係は保たることになる。
【００３４】
図３（ａ）の状態から、扉本体１ａをそのまま下側に移動させると、保護扉１が完全に閉じることになる。実施の形態１と同様に、表示部材３３の突起部３３ａがメモリカード４に接触した後は、表示部材３３の移動は拘束され、扉本体１ａは表示部材３３と別個独立に移動することになる。
【００３５】
一方、表示部材３３の突起部３３ｂと扉本体１ａと一体の突起部１７とは、ばね１６を介して連結されている。このため、表示部材３３の移動が拘束された状態において、扉本体１ａが下側に移動すると、ばね１６が伸びることになる。図３（ｂ）のように、保護扉１が完全に閉じた状態では、板バネ８の突起部８ａはガイド７の溝７ａに新たに係合している。
【００３６】
図３（ｂ）の状態から保護扉１を開く際には、扉本体１ａを上側にスライドさせることになる。スライドが進行すると、表示部材３３の突起部３３ｂが接触部材６と接触し、表示部材３３の移動は拘束されることになる。この状態において、伸びたばね１６の復元力は、扉本体１ａが表示部材３３に近づく方向に作用している。すなわち、ばね１６の復元力はガイド７を上側に持ち上げるように作用していることになる。一方、扉本体１ａのスライドを進行させると、ガイド７は上側に移動し、ガイド７の溝７ａと板バネ８の突起部８ａとの係合が外れることになる。この際、前記のように、ばね１６の復元力はガイド７を上側に持ち上げるように作用しているので、この係合を外すように作用することになる。
【００３７】
ここで、扉本体１ａを開く際の扉本体１ａを上側に持ち上げる操作と、扉本体１ａを閉じる際の扉本体１ａを下側に押す操作とを比較してみると、扉本体１ａを下側に押す操作の方が、上側に持ち上げる操作に比べ操作性がよい。このため、上側に持ち上げる際の負荷が大きいと、使い勝手を悪くしてしまう。本実施の形態によれば、扉本体１ａを上側に持ち上げる際の力を軽減させることができ、扉本体の開放時の操作性を向上させることができる。
【００３８】
図３（ｃ）に、メモリカードの未装着状態における保護扉１を閉じた状態を示しているが、この場合の動作は、前記実施の形態１と同様であり、表示部材３３には外力が印加されないので、図３（ａ）に示した扉本体１ａと表示部材３３との保持状態が保たれることになる。
【００３９】
なお、本実施の形態では、ばねの復元力は伸びたときに生じる例で説明したが、縮んだときに生じる様に構成しても良い
（実施の形態３）
図４は、実施の形態３に係る撮像装置の要部断面図を示している。実施の形態３は、実施の形態１の構成に、接触部材２０及びこれを往復移動させる往復移動手段を追加したものである。本図の例では、往復移動手段はレバー１８であり、後に詳細を説明するように、支点１９を中心としたレバー１８の回転により、接触部材２０を往復移動させることができる。
【００４０】
接触部材２０は、例えば板状又は棒状の部材である。接触部材２０は、レバー１８の端部２１と係合している。レバー１８は、支点１９を中心として回転可能である。接触部材２０とレバー１８との係合は、例えばレバー１８に設けた突出ピンを、レバー２０に設けた穴に係合させる構成とすることができる。また、接触部材２０の本体１１の内部側の端部は、一端が本体１１に固定されたばね２２に接続されている。
【００４１】
挿入口５にメモリカード４を装着する際には、メモリカード４は矢印ｄ方向に移動し、メモリカード４の端部がレバー１８を押すことになる。このことにより、レバー１８は支点１９を中心として回転し、レバー１８の接触部材２０側の端部は、本体１１の外部側に変位する。これに伴い、レバー１８に係合している接触部材２０も矢印ｅ方向に変位する。一方、メモリカード４を挿入口５から取り出すと、ばね２２の復元力により、接触部材２０は本体１１の内部側に戻ることになる。
【００４２】
本実施の形態では、メモリカード４の装着時において、扉本体１ａを閉じる際の矢印ｃ方向のスライド中に、表示部材３の突起部３ａに最初に接触するのは、メモリカード４ではなく、接触部材２０である。また、メモリカード４の未装着時においては、接触部材２０は本体１１の内部側に退避しているので、保護扉１の開閉動作に接触部材２０が影響することはない。
【００４３】
すなわち、本実施の形態における保護扉１の開閉動作は、前記実施の形態１において、保護扉１を閉じる際に表示部材３の突起部３ａに接触させる部材が、メモリカード４から接触部材２０に代わることを除けば、扉開閉動作は前記実施の形態１の扉開閉動作と同様である。
【００４４】
また、ディジタルスチルカメラにはメモリカードを取り出すボタンを有する場合があるが、接触部材２０はこのメモリカードを取り出すときに使用するボタンに置き換えてもよい。さらに、メモリカードを取り出すときに使用するボタンの動きに連動して表示部材を移動する構成にしてもよい。
【００４５】
前記実施の形態１においては、扉本体１ａを閉じる際に、メモリカード４には表示部材３の突起部３ａからの外力が印加されることになる。この場合、メモリカード４に加わるのは、単に下側に押す力に止まらず、曲げ応力も作用することになる。一方、本実施の形態においては、扉開閉動作中に、メモリカード４には、他の部材が接触することがなく、メモリカード４の保護に優れている。
【００４６】
（実施の形態４）
図５は、実施の形態４に係る撮像装置の要部断面図を示している。実施の形態４は、前記実施の形態１に比べ、表示部材の構成が異なっている。本実施の形態においては、表示部材５３は円盤状部材であり、軸５４を中心として回転可能である。表示部材５３は、外観上差異のある部分を設けており、本実施の形態では、円周方向に沿って、保護扉１と同様の色（例えばグレー）の領域５３ｂと明るい色の領域５３ａとに分かれている。
【００４７】
表示部材５３は、外周近傍の位置で、連結部材２６と係合している。連結部材２６は、例えば棒状の部材である。この係合は、例えば連結部材２６に設けた突出ピンを表示部材５３に設けた穴に係合させる構成とすることができる。
【００４８】
本実施の形態では、連結部材２６は往復移動手段により往復移動が可能である。本図の例では、往復移動手段はレバー２４であり、後に詳細を説明するように、支点２５を中心としたレバー２４の回転により、連結部材２６を往復移動させることができる。
【００４９】
連結部材２６の本体１１の内部側の端部２７は、レバー２４の端部と係合している。レバー２４は支点２５を中心として回転可能である。連結部材２６のレバー２４との係合は、例えばレバー２４に設けた突出ピンを連結部材２６に設けた穴に係合させる構成とすることができる。また、連結部材２６の本体１１の内部側の端部は、一端が本体１１に固定されたばね２８に接続されている。
【００５０】
挿入口５にメモリカード４を装着する際には、メモリカード４は矢印ｄ方向に移動し、メモリカード４の端部がレバー２４を押すことになる。このことにより、レバー２４は支点２５を中心として回転し、レバー２４の連結部材２６側の端部は、本体１１の外部側に移動する。
【００５１】
これに伴い、レバー２４に係合している連結部材２６も矢印ｅ方向に移動する。この連結部材２６の変位により、表示部材５３は矢印ｆ方向に回転することになる。図５の図示は、回転完了の状態を示している。この状態では、窓２からは保護扉１と同様の色の領域５３ｂが見えることになる。この場合は、ユーザに特別注意を喚起することはない。
【００５２】
一方、メモリカード４を挿入口５から取り出すと、ばね２８の復元力により、連結部材２６は本体１１の内部側に変位することになる。この連結部材２６の変位により、表示部材５３は矢印ｇ方向に回転することになる。この回転が完了すると、窓２から表示部材５３の明るい色の領域５３ａが見えることになる。
【００５３】
この場合は、ユーザに注意を喚起することになり、ユーザはメモリカード４が装着されていないことに気付くことになる。このため、前記各実施の形態と同様に、メモリカード４の装着の有無の確認が容易になり、メモリカード４の装着忘れの可能性が低くなる。また、扉開閉動作中にメモリカード４には、他の部材が接触することはないので、メモリカード４の保護にも優れている。
【００５４】
なお、表示部材５３を円盤状部材の例で説明したが、これに限るものではなく、回転により窓２に外観の異なる部分を表示できればよく、円筒状部材や多角柱部材でもよい。
【００５５】
（実施の形態５）
前記各実施の形態は、メモリカード４の装着の有無を扉本体１ａの窓を通して確認する構成であるが、実施の形態５は、これを本体１１に設けた窓から確認する構成である。
【００５６】
図６は、実施の形態５に係る撮像装置の要部断面図を示している。前記各実施の形態では、表示部材は本体１１の外部に設けているが、本実施の形態に係る表示部材６３は、本体１１の内部に設けている。表示部材６３は、例えば板状又は棒状の部材である。
【００５７】
表示部材６３は、外観上差異のある部分を設けており、本実施の形態では、長手方向に沿って、本体１１と同様の色（例えばグレー）の領域６３ａと明るい色の領域６３ｂとに分かれている。表示部材６３の一部は、本体１１に形成した窓３１から視認することができる。
【００５８】
本実施の形態では、表示部材６３は往復移動手段により往復移動が可能である。本図の例では、往復移動手段はレバー２９であり、後に詳細を説明するように、支点３０を中心としたレバー２９の回転により、表示部材６３を往復移動させることができる。
【００５９】
表示部材６３の端部３２は、レバー２９と連結されており、レバー２９は支点３０を中心として回転可能である。連結部材２９の表示部材６３側の端部は、レバー２９と係合している。この係合は、例えばレバー２９に設けた突出ピンを表示部材６３に設けた穴に係合させる構成とすることができる。また、表示部材６３の本体１１の内部側の端部は、一端が本体１１に固定されたばね３４に接続されている。
【００６０】
挿入口５にメモリカード４を装着する際には、メモリカード４は矢印ｄ方向に移動し、メモリカード４の端部がレバー２９を押すことになる。このことにより、レバー２９は支点３０を中心として回転し、レバー２９の表示部材６３側の端部は、本体１１の外部側に変位する。これに伴い、レバー２９に係合している表示部材６３も矢印ｅ方向に変位する。図６の図示は、矢印ｅ方向の移動完了の状態を示している。この状態では、窓３１からは本体１１と同様の色の領域６３ａが見えることになる。この場合は、ユーザに特別注意を喚起することはない。
【００６１】
一方、メモリカード４を挿入口５から取り出すと、ばね３４の復元力により、表示部材６３は本体１１の内部側に戻ることになる。この場合は、窓３１から表示部材６３の明るい色の領域である領域６３ｂが見えることになる。この場合は、ユーザに注意を喚起することになり、ユーザはメモリカード４が装着されていないことに気付くことになる。このため、前記各実施の形態と同様に、メモリカード４の装着の有無の確認が容易になり、メモリカード４の装着忘れの可能性が低くなる。また、扉開閉動作中にメモリカード４には、他の部材が接触することはないので、メモリカード４の保護にも優れている。
【００６２】
さらに本実施の形態と図４、５に示した実施の形態とを比較してみると、本実施の形態は、表示部材と接触部材（連結部材）とを兼ねた構成であるので、図４、５に示した実施の形態に比べ構造が簡単になる。
【００６３】
図７は、本実施の形態５の別の例に係る撮像装置の要部断面図を示している。図６に示した実施の形態のメモリカードの挿入を横挿入とすれば、図７に示したメモリカードの挿入は縦挿入であるといえる。この点を除けば、本実施の形態は、図６に示した構成と基本的は動作は同じであり、メモリカード４の装着の有無によって、窓３１から見える表示部材６３の領域が異なることになり、メモリカード４の装着の有無を容易に確認することができる。図６、７のいずれの構成を選択するかは、撮像装置の各部のレイアウトや操作性等に応じて適宜決定すればよい。
【００６４】
なお、前記各実施の形態では、メモリカード４の挿入口５は本体１１の側面に設けられている例を用いて説明したが、これに限るものではなく、本体１１の底面、背面、上面、又は前面のいずれかに設けるようにしてもよい。
【００６５】
また、本実施の形態では、メモリカード４が本体に挿入されていない場合には表示部材を明るい色にする例で説明したが、例えばメモリカード装着時は「有」、メモリカード未装着時は「無」といった文字表示をしてもよい。
【００６６】
また、表示部材の色分けについても、前記各実施の形態の例に限るものではなく、判別性を考慮しながら自由に設定すればよい。
【産業上の利用可能性】
【００６７】
以上のように、本発明によれば、メモリカードの装着の有無の確認が容易になり、メモリカードの装着忘れの可能性が低くなるので、本発明は着脱可能な可般型の外部メモリを用いた例えばスチルカメラやビデオムービーに用いることができる。
【００６８】
また、撮像装置以外であっても、例えばオーディオプレーヤにも適用可能である。さらに、本発明をバッテリー有無の判別に応用し、電子機器においてバッテリー有無を表示する構成とすることもできる。
【図面の簡単な説明】
【００６９】
【図１】本発明の一実施の形態に係る撮像装置の外観斜視図。
【図２】本発明の実施の形態１に係る撮像装置の要部断面図。
【図３】本発明の実施の形態２に係る撮像装置の要部断面図。
【図４】本発明の実施の形態３に係る撮像装置の要部断面図。
【図５】本発明の実施の形態４に係る撮像装置の要部断面図。
【図６】本発明の実施の形態５に係る撮像装置の要部断面図。
【図７】本発明の実施の形態５の別の例に係る撮像装置の要部断面図。
【符号の説明】
【００７０】
１  保護扉
２，３１  窓
３，５３，６３  表示部材
４  メモリカード
５  挿入口
１８，２８，３４，３８  ばね
２０  接触部材
２６  連結部材
【図１】
2006033283.tif 000003
【図２】
2006033283.tif 000004
【図３】
2006033283.tif 000005
【図４】
2006033283.tif 000006
【図５】
2006033283.tif 000007
【図６】
2006033283.tif 000008
【図７】
2006033283.tif 000009